(57)【要約】    【課題】  種々のミシン目の切れ具合を簡単に確認できるミシン目比較見本用ラベルおよびミシン目比較見本用ラベルを用いた確認方法を提供することを課題とする。【解決手段】  矩形状の台紙２と、この台紙の周縁部の一部をわずかに露呈した状態で、粘着剤層を介して台紙に積層されるラベル基材３と、積層された台紙およびラベル基材の一辺５ａ方向に交差する方向に、かつ、一辺方向において所望の間隔で複数設けられるとともに、台紙およびラベル基材を貫通して設けられたミシン目４と、を備えたミシン目比較見本用ラベルであって、複数のミシン目４ａ〜４ｆは、各々が、異なった比率のカット部６ａとアンカット部６ｂの反復により形成され、かつ、台紙およびラベル基材の一端部がカット部に、また、他端部が前記アンカット部と成るよう形成されたことを特徴とする。【選択図】  図１
2011048231.tif 000002
【特許請求の範囲】
【請求項１】
矩形状の台紙と、
この台紙の周縁部の一部をわずかに露呈した状態で、粘着剤層を介して前記台紙に積層されるラベル基材と、
前記積層された台紙およびラベル基材の一辺方向に交差する方向に、かつ、一辺方向において所望の間隔で複数設けられるとともに、前記台紙およびラベル基材を貫通して設けられたミシン目と、を備えたミシン目比較見本用ラベルであって、
前記複数のミシン目は、各々が、異なった比率のカット部とアンカット部の反復により形成され、
かつ、前記台紙およびラベル基材の一端部が前記カット部に、また、他端部が前記アンカット部と成るよう形成されたことを特徴とするミシン目比較見本用ラベル。
【請求項２】
前記ラベル基材には、前記ミシン目の比率を示す表示部が設けられることを特徴とする請求項１記載のミシン目比較見本用ラベル。
【請求項３】
矩形状の台紙と、
この台紙の周縁部の一部をわずかに露呈した状態で、粘着剤層を介して前記台紙に積層されるラベル基材と、
前記積層された台紙およびラベル基材の一辺方向に交差する方向に、かつ、一辺方向において所望の間隔で複数設けられるとともに、前記台紙およびラベル基材を貫通して設けられたミシン目と、を備え、前記複数のミシン目が、それぞれ異なった比率のカット部とアンカット部の反復により形成されるとともに、台紙およびラベル基材の一端部が前記カット部に、また、他端部が前記アンカット部と成るよう形成されたミシン目比較見本用ラベルを用いた確認方法であって、
前記複数のミシン目のうち、該当のミシン目を選択するとともに、
前記ラベル基材の切れ具合を確認の際は、前記台紙より前記ラベル基材を該当のミシン目まで剥がした上で、ラベル基材のみをミシン目に沿って切り離し、
また、台紙の切れ具合を確認の際は、該当のミシン目を越えて前記ラベル基材を剥がし台紙を表出させた上で台紙のみをミシン目に沿って切り離すことを特徴とするミシン目比較見本用ラベルを用いた確認方法。
【請求項４】
前記台紙およびラベル基材の端部におけるカット部およびアンカット部は、一辺方向において交互に形成されることを特徴とする請求項３に記載のミシン目比較見本用ラベルを用いた確認方法。
【発明の詳細な説明】
【技術分野】
【０００１】
本発明は、ラベルプリンタなどの印刷装置に使用される長尺状に連続したラベル連続体やファンフォールド紙などの記録媒体のミシン目の切れ具合を確認可能なミシン目比較見本用ラベルおよびミシン目比較見本用ラベルを用いた確認方法に関する。
【背景技術】
【０００２】
従来、ラベルプリンタなどの印字装置で使用される記録媒体としては、長尺状の剥離紙（台紙）に粘着剤を介してラベルが仮着されるとともに、隣り合ったラベル間にミシン目が施されているようなラベル連続体が知られている（例えば、特許文献１参照）。
前記特許文献１のラベル連続体を図８により説明すると、図示省略の粘着剤層を有する表示用基材に長尺状の剥離紙（台紙）５１を仮着して成る園芸用の帯状表示ラベル５０であって、この園芸用の帯状表示ラベル５０の長手方向に間隔をもって横ミシン目５２が形成されており、横ミシン目５２、５２間が単葉の表示ラベル５３として区画、形成されている。
さらに、この園芸用の帯状表示ラベル５０にあっては、帯状表示ラベルの一側部の長手方向に縦ミシン目５４が形成されると共に、剥離紙５１の他側部の長手方向に沿ってスリット５５が形成されている。
そして、園芸用の帯状表示ラベル５０は、横ミシン目５２に沿って剥離紙５１ごと単葉の表示ラベル５３と共に切り取った上で、さらに、縦ミシン目５４やスリット５５に沿って剥離紙５１を取り除き、単葉の表示ラベル５３裏面の粘着剤層（図示省略）を露出させるとともに、ループ状に貼付して園芸植物の枝などに表示するようになっている。
ところで、園芸用の帯状表示ラベル５０は、ラベルプリンタ（図示せず）で使用するラベル連続体の一例であり、他にも物流で用いたり食品に用いたりと用途が様々であるだけでなく、前述園芸用の帯状表示ラベル５０のように剥離紙５１と単葉の表示ラベル５３を一緒に横ミシン目５２に沿って切り離す態様や、横ミシン目５２に沿って剥離紙５１より単葉の表示ラベル５３のみを剥離する態様などがあり、態様やユーザの使い勝手によりミシン目（横ミシン目５２、縦ミシン目５４）の設定、すなわち、ミシン目のカット部とアンカット部の比率が異なっており、設定によっては「ラベル連続体のミシン目が切れにくかった」という意見や、逆に「ミシン目から切れにくくしたい」という要望、または、「商品に貼ってから切り取りたい」あるいは、「ミシン目に沿って折り曲げて使用したい」などの要望があったため、要望の都度、ミシン目を設定するとともに、設定が要望に合致しているか否かをユーザに確認する必要があった。
前記ユーザの要望に応えたミシン目の設定をユーザに選択していただくには、過去の生産実績を基に適当なミシン目を備えたラベル連続体を比較用のサンプルとして複数種類取り寄せ、ユーザにミシン目の切れ具合などを比較していただいていた。
しかしながら、生産実績から適当なサンプルを探し出すには手間が掛かると共に、取り寄せてユーザに提供し確認を取るまでに時間並びに運賃などの取り寄せ費用が嵩むという問題があった。
また、取り寄せたラベルは、サイズ・形状・基材がそれぞれ異なるため、同じ条件での比較が困難であるという問題があった。
【先行技術文献】
【特許文献】
【０００３】
【特許文献１】特開平１１−１７４９６３号公報
【発明の概要】
【発明が解決しようとする課題】
【０００４】
本発明は、上記の問題点に着目して成されたものであり、種々のミシン目の切れ具合を簡単に確認できるミシン目比較見本用ラベルおよびミシン目比較見本用ラベルを用いた確認方法を提供することを課題とする。
【課題を解決するための手段】
【０００５】
上記課題を達成するため、本発明に係るミシン目比較見本用ラベルは、矩形状の台紙と、この台紙の周縁部の一部をわずかに露呈した状態で、粘着剤層を介して前記台紙に積層されるラベル基材と、前記積層された台紙およびラベル基材の一辺方向に交差する方向に、かつ、一辺方向において所望の間隔で複数設けられるとともに、前記台紙およびラベル基材を貫通して設けられたミシン目と、を備えたミシン目比較見本用ラベルであって、前記複数のミシン目は、各々が、異なった比率のカット部とアンカット部の反復により形成され、かつ、前記台紙およびラベル基材の一端部が前記カット部に、また、他端部が前記アンカット部と成るよう形成されたことを特徴とする。
また、ラベル基材には、ミシン目の比率を示す表示部が設けられるようにできる。
さらに、本発明に係るミシン目比較見本用ラベルを用いた確認方法は、矩形状の台紙と、この台紙の周縁部の一部をわずかに露呈した状態で、粘着剤層を介して前記台紙に積層されるラベル基材と、前記積層された台紙およびラベル基材の一辺方向に交差する方向に、かつ、一辺方向において所望の間隔で複数設けられるとともに、前記台紙およびラベル基材を貫通して設けられたミシン目と、を備え、前記複数のミシン目が、それぞれ異なった比率のカット部とアンカット部の反復により形成されるとともに、台紙およびラベル基材の一端部が前記カット部に、また、他端部が前記アンカット部と成るよう形成されたミシン目比較見本用ラベルを用いた確認方法であって、前記複数のミシン目のうち、該当のミシン目を選択するとともに、前記ラベル基材の切れ具合を確認の際は、前記台紙より前記ラベル基材を該当のミシン目まで剥がした上で、ラベル基材のみをミシン目に沿って切り離し、また、台紙の切れ具合を確認の際は、該当のミシン目を越えて前記ラベル基材を剥がし台紙を表出させた上で台紙のみをミシン目に沿って切り離すことを特徴とする。
また、台紙およびラベル基材の端部におけるカット部およびアンカット部は、一辺方向において交互に形成されるようにできる。
【発明の効果】
【０００６】
本発明のミシン目比較見本用ラベルは、複数のミシン目の各々が、異なった比率のカット部とアンカット部の反復により形成され、かつ、台紙およびラベル基材の一端部がカット部に、また、他端部がアンカット部と成るよう形成されているため、異なったミシン目の態様が形成された種類のサンプルを用意していた従来に比し、１枚で種々の切れ具合が確認できるという効果がある。
また、ラベル基材に、ミシン目の比率を示す表示部を設けるようにすれば、該当設定のミシン目が見つけ易くなるだけでなく、カット部とアンカット部の比率の設定変更時、表示部の現比率が記憶し易く、以て変更比率の目安になるものである。
さらに、本発明に係るミシン目比較見本用ラベルを用いた確認方法は、複数のミシン目のうち、該当のミシン目を選択するとともに、ラベル基材の切れ具合を確認の際は、台紙よりラベル基材を該当のミシン目まで剥がした上で、ラベル基材のみをミシン目に沿って切り離し、また、台紙の切れ具合を確認の際は、該当のミシン目を越えてラベル基材を剥がし台紙を表出させた上で台紙のみをミシン目に沿って切り離すようにしたので、該当のミシン目による切れ具合の確認が容易となり、しかも、台紙のみ、あるいはラベル基材のみの選定が可能であり、以て、複数種の切れ具合の確認が可能であるという効果がある。
また、台紙およびラベル基材の端部におけるカット部およびアンカット部を、一辺方向において交互に形成すれば、切り離し時、隣接するミシン目が切れにくくなるものである。
【図面の簡単な説明】
【０００７】
【図１】本発明に係るミシン目比較見本用ラベルの一実施の形態を示す平面説明図である。
【図２】同、図１中、ＩＩ部分のカット部およびアンカット部の状態を示す部分拡大説明図である。
【図３】同、図１中、ＩＩＩ部分のカット部およびアンカット部の状態を示す部分拡大説明図である。
【図４】同、ミシン目比較見本用ラベルを台紙側より見た裏面説明図である。
【図５】同、ミシン目比較見本用ラベルを表面側より見た斜視説明図である。
【図６】同、ミシン目比較見本用ラベルの使用状態を示す図５相当の斜視説明図である。
【図７】ミシン目比較見本用ラベルの他の実施の形態を示す平面説明図である。
【図８】従来のミシン目付きラベル連続体の斜視説明図である。
【発明を実施するための形態】
【０００８】
以下、本発明の一実施の形態につき、図１ないし図６に基づいて説明する。
図１は、本発明に係るミシン目比較見本用ラベルの一実施の形態を示す平面説明図、図２は、図１中、ＩＩ部分の部分拡大説明図、図３は、図１中、ＩＩＩ部分の部分拡大説明図、図４は、台紙側より見た裏面説明図、図５は、表面側より見た斜視説明図である。
ミシン目比較見本用ラベル１は、矩形状の台紙２と、この台紙２に図示省略の粘着剤層を介して積層されるラベル基材３とミシン目４とを備えている。
台紙２の表面には、図示省略の離型剤が施されている。
ラベル基材３は、前記台紙２の表面に粘着剤層（不図示）を介して積層されており、前記台紙２よりやや小サイズとなっており、主に、図１に示すように、ラベル基材３の周縁部に台紙２が、わずかに露呈した状態とされている。積層されたラベル基材３の周縁部に、わずかに露呈した台紙２部分は、後述する「掴み代」として使用される。
ミシン目４は、積層されたラベル基材３の表面側より台紙２の裏面まで貫通して設けられると共に（図４参照）、図１における右側の一辺５ａまたは左側の一辺５ｂの長手方向Ｌの一辺５ａから他辺５ｂにかけて、ほぼ平行に複数本（図示の例では６本）設けられており、複数本のミシン目４（４ａ〜４ｆ）は、それぞれが異なった設定となっている。すなわち、主に、図２および図３に示すように、「切れ部」であるカット部６ａと「継ぎ部」であるアンカット部６ｂの反復によって形成されるミシン目４の、カット部６ａとアンカット部６ｂの比率が、第１のミシン目４ａでは、「２対１」、第２のミシン目４ｂでは、「３対１」、第３のミシン目４ｃでは、「１：１」、・・・第６のミシン目４ｆでは、「ｎ対ｍ」（ｎおよびｍは、任意の数）のように設定されている。
さらに、主に、図２に示すように、ミシン目４ｂ（４ａ〜４ｆ）は、一辺５ａ側において、台紙２の端部２ａは、「継ぎ部」であるアンカット部６ｂとなり、また、台紙２に積層されるラベル基材３の端部３ａは、「切れ部」であるカット部６ａとなるよう形成されており、かつ、主に、図３に示すように、他辺５ｂ側の台紙２の端部２ａは、カット部６ａとなり、また、ラベル基材３の端部３ａは、アンカット部６ｂとなるよう形成されている。
すなわち、台紙２の左右端部２ａにおいて、カット部６ａとアンカット部６ｂが、さらに、ラベル基材３の右左端部３ａにおいてカット部６ａとアンカット部６ｂが、各々形成されるため、１つのミシン目４で台紙２のカット部（切れ部）６ａまたはアンカット部（継ぎ部）６ｂよりの態様、更には、ラベル基材３のカット部６ａまたはアンカット部６ｂよりの態様が各々形成されることになる。
【０００９】
次に、主に、図６に基づき、ミシン目比較見本用ラベル１の使用状態を説明する。
ミシン目比較見本用ラベル１の右下の台紙２部分を「掴み代」として指で摘み、確認したい該当ミシン目の設定、すなわち、該当比率でカット部６ａおよびアンカット部６ｂが形成されている該当のミシン目４まで表面側のラベル基材３を剥がす。
先ず始めに、ラベル基材３の切れ具合を確認したい場合につき説明する。
ラベル基材３を剥がす際、ラベル基材３のカット部６ａよりの「切れ具合」を確認の場合は、図６に示すように、一辺５ａ側より剥がし、また、アンカット部６ａよりの「切れ具合」を確認の場合は、他辺５ｂ側より剥がす。そして、所望のミシン目４（図示の例では、ミシン目４ｆ）に沿ってラベル基材３を切り離しながら所望の比率で形成されたミシン目４の「切れ具合」を確認する。
また、台紙２の「切れ具合」を確認したい場合は、所望のミシン目４を超えてラベル基材３を剥がし、台紙２のミシン目４を表出の上、カット部６ａよりの「切れ具合」を確認の場合は、他辺５ｂ側より、また、アンカット部６ｂよりの「切れ具合」を確認の場合は、一辺５ａ側より、各々ミシン目４に沿って切り取りながら該当の比率で形成された台紙２のミシン目４の「切れ具合」を確認する。
【００１０】
上述したように、複数のミシン目４ａ〜４ｆが、各々異なった比率のカット部６ａとアンカット部６ｂの反復により形成され、かつ、台紙２の一辺５ａ側の端部２ａがカット部６ｂに、この台紙２に積層されるラベル基材３の一辺５ａ側の端部３ａがアンカット部６ｂに各々形成されるとともに、台紙２の他辺５ｂ側の端部２ａがアンカット部６ａに、この台紙２に積層されるラベル基材３の他辺５ｂ側の端部３ａがカット部６ａに各々形成されることにより、カット部６ａとアンカット部６ｂの比率が異なる種々のミシン目４（４ａ〜４ｆ）が用意されるため、異なった態様の「ミシン目」が形成された種類の「ラベル連続体」を用意していた従前に比し、１枚の「ラベル」で種々の「切れ具合」が確認できるものである。
さらに、一辺５ａ側および他辺５ｂ側で、台紙２およびラベル基材３の端部２ａ、３ａが、アンカット部６ｂまたはカット部６ａとなっているため、ミシン目４に沿って台紙２またはラベル基材３を切り離す際、カット部６ａおよびアンカット部６ｂの双方よりの「切れ具合」の感触が確認できるので、前述のカット部６ａおよびアンカット部６ｂの比率が種々設定可能なことと相俟って、様々な態様のミシン目４の形成が可能であり、もって最適なミシン目４の選定が幅広く行える「ツール」としてのミシン目比較見本用ラベルが実現できるものである。
【００１１】
次に、図７に基づき、他の実施の形態につき説明する。
なお、以下では、先の実施の形態と共通する部分については同一符号を付すに止め、重複する説明は省略する。
ミシン目比較見本用ラベル１１は、単葉のミシン目比較見本用ラベル１１ａが長手方向Ｌに台紙２のミシン目１２により複数連接されている。
ミシン目４ａ、４ｃ、４ｅは、一辺５ａ側において、台紙２の端部２ａは、「切れ部」であるカット部６ａとなり、また、台紙２に積層されるラベル基材３の端部３ａは、「継ぎ部」であるアンカット部６ｂとなるよう形成されており、かつ、他辺５ｂ側の台紙２の端部２ａは、アンカット部６ｂとなり、また、ラベル基材３の端部３ａは、カット部６ａとなるよう形成されている。
更に、前記ミシン目４ａ、４ｃ、４ｅに隣接するミシン目４ｂ、４ｄ、４ｆは、先とは逆に、一辺５ａ側において、台紙２の端部２ａは、アンカット部６ｂとなり、また、台紙２に積層されるラベル基材３の端部３ａは、カット部６ａと成るよう形成されており、かつ、他辺５ｂ側の台紙２の端部２ａは、カット部６ａとなり、また、ラベル基材３の端部３ａは、アンカット部６ｂと成るよう形成されている。
すなわち、一辺５ａおよび他辺５ｂ側とも、台紙２の端部２ａおよびラベル基材３の端部３ａは、長手方向Ｌにおいてカット部６ａおよびアンカット部６ｂが交互に形成されるため、台紙２またはラベル基材３を該当のミシン目４に沿って切り離すに際し、隣接した台紙２またはラベル基材３のミシン目４に掛かる作用力が軽減されるものである。
また、ラベル基材３の表面には、表示部１３が設けられている。例えば、表示部１３ａは、ミシン目４ａの設定、すなわち、カット部（切れ部）６ａとアンカット部６ｂの比率がどのように形成されているかを目視できるよう設定の内容（図示の例では、「↑  切：つなぎ＝  ２  ：１」の印字）が表示されている。
表示部１３（１３ａ）を設けたことにより、「切れ具合」を確認する際、該当のカット部６ａおよびアンカット部６ｂに設定されたミシン目４ａが探し易くなるとともに、「切れ具合」の確認時、「もう少し切れ易くして欲しい」という要望が出た場合などに、次の設定、すなわち、カット部６ａ対アンカット部６ｂの割合をどのように変えるかの目安がつけ易くなるものである。
なお、本実施の形態のミシン目比較見本用ラベル１１は、台紙２のミシン目１２を介して長手方向Ｌに連接されているため、図示省略のカッター装置付きのラベルプリンタなどに装着し、ミシン目４ごとの切断状況を確認する際にも使用可能である。
その他の構成、作用、効果については、先の実施の形態とほぼ同様につき詳説を省略する。
【００１２】
なお、上記実施の形態の構成及び動作は例であって、本発明の趣旨を逸脱しない範囲で適宜変更することができることは言うまでもない。
【符号の説明】
【００１３】
Ｌ    長手方向
１    ミシン目比較見本用ラベル（第１の実施の形態）
２    台紙
２ａ  台紙２の端部
３    ラベル基材
３ａ  ラベル基材２の端部
４、４ａ〜４ｆ  ミシン目
５ａ  一辺
５ｂ  他辺
６ａ  カット部（切れ部）
６ｂ  アンカット部（継ぎ部）
１１  ミシン目比較見本用ラベル（第２の実施の形態）
１１ａ  単葉のミシン目比較見本用ラベル
１２  台紙２のミシン目
１３，１３ａ  表示部
５０  帯状表示ラベル
５１  剥離紙（台紙）
５２  横ミシン目
５３  単葉の表示ラベル
５４  縦ミシン目
５５  スリット
【図１】
2011048231.tif 000003
【図２】
2011048231.tif 000004
【図３】
2011048231.tif 000005
【図４】
2011048231.tif 000006
【図５】
2011048231.tif 000007
【図６】
2011048231.tif 000008
【図７】
2011048231.tif 000009
【図８】
2011048231.tif 000010